(57)【要約】      （修正有）【課題】運動靴等の靴紐が解けないように、靴紐結束時に靴紐端部の余剰端部を靴の外部に延延しないようにした靴紐ストッパーを提供する。【解決手段】耐磨耗性を有する弾性プラスチック、たとえばナイロン系樹脂で形成してなる靴紐固定装置であって、靴の靴紐の一対の最終取り出し孔に対応する離間した幅で、一対の縦孔３、３を形成し、結束用の靴紐を蝶結び４結束した後、靴紐の各余剰端部７は、一対の縦孔３の上端部より上方の後方部位置にあって、後方より前方に挿通可能に設けられた独立した各二条のほぼ平行する貫通横孔８、８に貫通することによって、該貫通横孔８、８によってしっかりと保持され、靴紐の緩みは発生することはない。【選択図】図２
0003154802.tif 000002
【実用新案登録請求の範囲】
【請求項１】
耐磨耗性を有する弾性プラスチックで形成してなる靴紐固定装置であって、靴の靴紐の一対の最終取り出し孔に対応する離間した幅で、一対の縦孔を形成し、前記一対の縦孔の上端部より前方向に貫通する一対の貫通横孔を形成してなることを特徴とする靴紐固定装置。
【請求項２】
一対の貫通横孔は、それぞれ離間した縦孔間の間に平行するように挿通孔である請求項１記載の靴紐固定装置。
【請求項３】
一対の貫通横孔は、その後端部位置が一対の縦孔位置より前方である請求項１又は２記載の靴紐固定装置。
【請求項４】
一対の貫通横孔は、その後端部位置が一対の縦孔位置より前方且つ一対の縦孔上端部より高位置とした請求項１、請求項２、請求項３記載の靴紐固定装置。
【請求項５】
一対の貫通横孔は、その後端部位置が一対の縦孔位置より前方且つ一対の縦孔上端部より低位置とした請求項１、請求項２、請求項３記載の靴紐固定装置。
【請求項６】
縦孔は、左右それぞれ等間隔にある一対の複数の独立した貫通孔である請求項１、請求項２、請求項３、請求項４、請求項５記載の靴紐固定装置。
【請求項７】
靴紐固定装置の下辺は、靴紐固定位置の上辺に添う下部湾曲凹状としてある請求項１、請求項２、請求項３、請求項４、請求項５、及び請求項６記載の靴紐固定装置。
【考案の詳細な説明】
【考案の詳細な説明】
【技術分野】
【０００１】この考案は、靴紐結束時に靴紐端部の余剰端部を靴の外部に延延しないようにした靴紐ストッパーに関する。
【技術の背景】
【０００２】従来通勤用靴及び運動靴、特に運動靴では、靴紐が長く、締結後も余剰端部が靴の外部にはみ出す場合がある。このような靴紐の余剰端部を自己又は他人が誤って踏んだ場合、靴を履いている人が横転し不測の怪我、損傷する場合がしばしば発生する。特に、近時は、多数人が参加するマラソン競技大会では、スタート地点では、すし詰め状態であるため、このような事故が多発し、けが人も続出している。
又、このような靴紐の余剰端部が自転車を乗っている人が知らずに自転車の車輪等に巻き込まれ自転車諸共乗っている人も横転する事故もある。
更に、このような靴紐の長い余剰端部が知らずに、エスカレーターの端に噛み込み、エスカレーターへの巻き込み事故も発生する場合もある。
【先行技術文献】
【０００３】
【特許文献１】特表２００１−５２１７６９
【特許文献２】特開平２００５−２１８８１３
【特許文献３】特開平２００１−１７２０７
【考案の解決しようとする課題】
【０００４】従来提供されている特許文献１では、蝶結び紐と、靴紐の余剰端部とを纏めてヒンジにて開閉し得る筒形の結束具で束ねて保持するものである。この発明では、蝶結び紐と、靴紐の余剰端部とを纏めて筒形の結束具で束ねて保持するものであるから、保持筒の内径は常に一定であるが、蝶結び紐と、靴紐の余剰端部全体の束は紐の太さ、細さ、その長さとの関係で一定とは限らないからどの靴紐もしっかりと保持できるとは限らない。
【０００５】特許文献２では、蝶結びの部分にストッパーを装着して、靴紐が解けるのを防止するものである。この発明では、係合凹凸部の開閉のみでストッパーを開閉するが、日常的な使用で係合凹凸部の開閉が短期間の使用で緩む危険性がある。
【０００６】特許文献３のものでは、靴紐のを締結することなく、本来締結するための靴紐部分を一側で締結する紐締結デバイスに関するものであるから、靴紐を締結する必要のないものである。この発明では、紐締結デバイスを靴自体に取り付ける必要があるから、この紐締結デバイスが靴に固有のものであれば、自己の有する古い靴には使用することが出来ない。
【課題を解決するための手段】
【０００７】この考案は、耐磨耗性を有する弾性プラスチックで形成してなる靴紐固定装置であって、靴の靴紐の一対の最終取り出し孔に対応する離間した幅で、一対の縦孔を形成し、前記一対の縦孔の後方より前方に貫通する一対の貫通横孔を形成してなる靴紐固定装置としたものである。
【０００８】更に、この考案の靴紐固定装置は、一対の貫通横孔は、それぞれ離間した縦孔間の間に平行するように挿通孔としてある。
【０００９】更に、この考案の靴紐固定装置は、一対の貫通横孔は、その後端部位置が一対の縦孔位置より前方としてある。
【００１０】一対の貫通横孔は、その後端部位置が一対の縦孔位置より前方且つ一対の縦孔上端部より高位置としてある。
【００１１】一対の貫通横孔は、その後端部位置が一対の縦孔位置より前方且つ一対の縦孔上端部より低位置とすることもできる。
【００１２】縦孔は、左右それぞれ複数個の所、左右一対独立した孔としたものである。
【００１３】更に、靴紐固定装置の下辺は、靴紐固定位置の上辺に添う下部湾曲凹状とすることもできる。
【考案の効果】
【００１４】上記ように、構成してあるので、靴紐を縦孔の上端部で蝶結びした後に、余剰端部を貫通横孔に挿通保持されるから、靴紐を縦孔の上端部で蝶結びの緩みは完全に防止することができ、従って、靴紐の緩みから発生する各種の事故、損傷を防ぐことができる。靴紐の緩みを防止することで、スポーツマンは、そのことに神経を使う必要がなくなりスポーツそのものに専心することができることになる効果がある。
【考案を実施化するための形態】
【００１５】耐磨耗性を有する弾性プラスチックで形成してなる靴紐固定装置であって、離間位置に形成された一対の独立した縦孔と、前記一対の独立したそれぞれ二個の縦孔との間にあって前記二個の縦孔より前方に形成された後方より前方に挿通可能に設けられた独立した各二条のそれぞれ平行の貫通横孔とからなる靴紐固定装置としたものである。
【実施例】
【００１６】この考案は図１〜図５において、耐磨耗性を有する弾性プラスチック、たとえばナイロン系樹脂で形成してなる靴紐固定装置１であって、靴の靴紐６の一対の最終取り出し孔２ａ、２ａに対応する離間した幅で、一対の縦孔３、３を形成し、結束用の靴紐６を蝶結び４結束した後、靴紐６の各余剰端部７は、一対の縦孔３の上端部５より上方の後方部位置にあって、後方より前方に挿通可能に設けられた独立した各二条のほぼ平行する貫通横孔８、８に貫通することによって、該貫通横孔８、８によってしっかりと保持され、靴紐６の緩みは発生することはない。【００１７】更に、上記のように、一対の貫通横孔８、８は、靴紐固定装置１の後部に離間した位置に設けた両側突出部９、９にそれぞれ一個の縦孔３、３間の間に形成したの上方中央突出部に一対の貫通横孔８、８が前後方向に平行する貫通孔としてあるものである。【００１８】前記の縦孔３、３及び貫通横孔８、８はいずれも靴紐６の太さを考慮して形成されており、靴紐６を縦孔３、３及び貫通横孔８、８に貫通しようとするときには、ある程度の抵抗性を有する孔径と靴紐固定装置１の材質が選ばれている。【００１９】上述のように、靴紐６を靴紐固定装置１の両端を縦孔３、３に貫通させた後に、縦孔３、３の中央位置において中央位置にて一旦しっかりと蝶結び４をした後、その余剰端部は前記した貫通横孔８、８の後方より前方に貫通させる。こうして、靴紐６を縦孔３、３を貫通させて後にその余剰端部を貫通横孔８、８に貫通させた状態では、靴紐６はしっかりと保持され、靴紐６の緩み、弛みは運動中、運動後も発生することはないから、各種のスポーツ靴の余剰端部７が踏まれることから発生する転倒防止が完全となるので、各種のスポーツ、マラソン、サッカー、ボーリング、ハンドボール、バレーボール、ソフトボール、ベースボール、ラグビー、ウオーギング、テニス、バドミントン、卓球、ゴルフ、その他運動用靴を履着してするスポーツ選手はその運動にのみ専心することができ、又はそれを見る観衆もスポーツマンのスポーツ技能を純粋に楽しことができる。【００２０】例えば、運動靴の靴紐孔２は靴の前方部よりほぼ一定間隔毎に後方部の方向に順次に設けられている。靴紐６は、前方部より後方部方向にほぼ一定間隔毎に順次に設けられた靴紐孔２に挿通して最終取り出し靴紐孔２ａ、２ａに至る。靴紐６は、靴紐孔２ａ、２ａを挿通した後、図３に示すように、靴紐６を上方に持ち上げた状態で靴紐固定装置１で取付けて、該靴紐固定装置１を最終取り出し靴紐孔２ａ、２ａにまで下ろすことによって靴紐固定装置１の始期セッティングが完了する。【００２１】図２及び図５において、靴紐固定装置１を靴本体１５の最終取り出し靴紐孔２ａ、２ａに接する位置にセットした後は、靴紐６を蝶結び４等の方法等により固く締結し、各々靴紐６の各余剰端部７、７の端部の全部を、後方部中央凹所１０後方部の二条の貫通横孔８、８より貫通し、その余剰端部７、７の先端部１２が前方突出部１１の前方に突き出るようにする。【００２２】前記靴紐固定装置１に形成された、一対の縦孔３、３及び靴紐固定装置１の後方部の二条の貫通横孔８、８は、耐磨耗性を有する弾性プラスチック、たとえばナイロン系樹脂で形成してなり、縦孔３、３及び貫通横孔８、８には非潤滑性を有しているから、靴紐６に対して適度な抵抗性を有しており、一旦挿通すれば貫通位置で緩みを生じることはない。
なお、前記靴紐固定装置１の材質は、耐磨耗性を有する弾性プラスチックであればよく、上記の材料以外にも各種の硬質性の弾性プラスチックを随時選択することができる。【００２３】従って、競技者が、運動靴に本件考案に係る靴紐固定装置１を付設して靴紐６を締結すればその締結に緩みを生じることないから、余剰端部７、７を上手に処理することができ、余剰端部７、７に起因する転倒を有効に防止することができるから極めて安全な運動靴を提供することができる。【００２４】図５に示す靴紐固定装置１の形状を略立方体形状の後方部中央に凹所１４を形成し、一対の貫通横孔８、８は、該凹所１４の両側突出部に設けられた縦孔３、３の上端部より低位置としたものを図示している。【００２５】図６に図示したものは、縦孔３、３ａ、３、３ａ靴を左右に複数箇所に設けて、履く者の締め付けの程度に対応して一対の縦孔３、３ａ、３、３ａを選択できるようにしてあるものである。【００２６】図８に示すものは、靴紐固定装置の下辺は、靴紐固定位置の上辺の湾曲形状に添う形状の下部湾曲凹状１３としてあるものである。
【産業上の利用可能性】
【００２７】この考案は、靴紐固定装置１は、耐磨耗性を有する弾性プラスチック、たとえばナイロン系樹脂で形成してなるから、全体としては、極めて軽量、小容量であって、しかも運動中には運動靴の蝶結び位置で保持されているので、運動の障害になることはない。更に、安全性にすぐれ、靴紐の解けることをほぼ完全に防止することができる。
【図面の簡単な説明】
【００２８】
【図１】この考案の靴紐固定装置の斜視図である。
【図２】靴紐の固定状態を示す拡大斜視図である。
【図３】この考案の靴紐の締結セッティングの初期状態を示す斜視図である。
【図４】この考案の靴紐の締結完了状態を示す斜視図である。
【図５】この考案の靴紐の締結完了状態を示す断面図である。
【図６】貫通横孔位置を縦孔上端部より低位置とした靴紐固定装置の他の実施例を示す斜視図である。
【図７】縦孔を左右に複数箇所に設けた靴紐固定装置の斜視図である。
【図８】靴紐固定装置の下辺を凹状湾曲状態とした靴紐固定装置の斜視図である。
【符号の説明】１  ．．．．．．．．．靴紐固定装置
２  ．．．．．．．．．紐孔
２ａ、２ｂ  ．．．．．最終取り出し孔
３、３．．．．．．．．縦孔
４、４．．．．．．．．蝶結び
５、５．．．．．．．．上端部
６、６．．．．．．．．靴紐
７、７．．．．．．．．余剰端部
８、８．．．．．．．．貫通横孔
９、９．．．．．．．．両側突出部
１０  ．．．．．．．．後部中央凹所
１１  ．．．．．．．．前方突出部
１２  ．．．．．．．．余剰端部の先端部
１３  ．．．．．．．．下部湾曲凹状
１４  ．．．．．．．．凹所
１５  ．．．．．．．．靴本体
【図１】
0003154802.tif 000003
【図２】
0003154802.tif 000004
【図３】
0003154802.tif 000005
【図４】
0003154802.tif 000006
【図５】
0003154802.tif 000007
【図６】
0003154802.tif 000008
【図７】
0003154802.tif 000009
【図８】
0003154802.tif 000010
【手続補正書】
【提出日】平成21年7月13日(2009.7.13)
【手続補正１】
【補正対象書類名】実用新案登録請求の範囲
【補正対象項目名】全文
【補正方法】変更
【補正の内容】
【実用新案登録請求の範囲】
【請求項１】
耐磨耗性を有する弾性プラスチックで形成してなる靴紐固定装置であって、靴の靴紐の一対の最終取り出し孔に対応する離間した幅で、一対の縦孔を形成し、前記一対の縦孔の上端部より前方向に貫通する一対の貫通横孔を形成してなることを特徴とする靴紐固定装置。
【請求項２】
一対の貫通横孔は、それぞれ離間した縦孔間の間に平行するように挿通孔である請求項１記載の靴紐固定装置。
【請求項３】
一対の貫通横孔は、その後端部位置が一対の縦孔位置より前方である請求項１又は請求項２記載の靴紐固定装置。
【請求項４】
一対の貫通横孔は、その後端部位置が一対の縦孔位置より前方且つ一対の縦孔上端部より高位置とした請求項１、請求項２又は請求項３記載の靴紐固定装置。
【請求項５】
一対の貫通横孔は、その後端部位置が一対の縦孔位置より前方且つ一対の縦孔上端部より低位置とした請求項１、請求項２又は請求項３記載の靴紐固定装置。
【請求項６】
縦孔は、左右それぞれ等間隔にある一対の複数の独立した貫通孔である請求項１、請求項２、請求項３、請求項４又は請求項５記載の靴紐固定装置。
【請求項７】
靴紐固定装置の下辺は、靴紐固定位置の上辺に添う下部湾曲凹状としてある請求項１、請求項２、請求項３、請求項４、請求項５又は請求項６記載の靴紐固定装置。